(57)【要約】【課題】本考案は、マイナスイオン効果をもつ水やお湯を噴出させることが可能なシャワーヘッドを提供する。【解決手段】水やお湯を噴出させるための噴水ヘッドと、前記噴水ヘッドと螺合される握り部とによって構成する。前記握り部内には収容スペースが設けられ、前記収容スペースにはフィルタエレメントが収容され、前記フィルタエレメント内には、複数のマイナスイオンセラミックボールが収容される。【選択図】図２
0003165747.tif 000002
【実用新案登録請求の範囲】
【請求項１】
水やお湯を噴出させるための噴水ヘッドと、前記噴水ヘッドと螺合される握り部とによって構成するシャワーヘッドであって、
前記握り部内には収容スペースが設けられ、前記収容スペースにはフィルタエレメントが収容され、前記フィルタエレメント内には、複数のマイナスイオンセラミックボールが収容されることを特徴とする、シャワーヘッド。
【請求項２】
前記噴水ヘッドの所定の位置には、前記握り部と螺合される螺合部が設けられ、前記噴水ヘッドの螺合部には、水流に気泡を生じさせるための導管が設けられ、前記握り部における噴水ヘッドが設けられた箇所の反対側の端部にはには、ホースを連結するための連結部が設けられることを特徴とする、請求項１に記載のシャワーヘッド。
【請求項３】
前記フィルタエレメントは、一体成型で設けられることを特徴とする、請求項１に記載のシャワーヘッド。
【考案の詳細な説明】
【技術分野】
【０００１】
本考案はシャワーヘッドに関し、特にマイナスイオン効果が生じるシャワーヘッドに関する。
【背景技術】
【０００２】
一般的に、シャワーを浴びる時は、シャワーヘッドが用いられることが多く、蛇口からの水やお湯はシャワーヘッドを通じて外に出される。また、シャワーヘッドの水やお湯が噴出する箇所には複数の穿孔が設けられているため、水やお湯はそれらの穿孔を通過して水柱を形成し、水圧を緩衝させる効果がある。
【０００３】
また、シャワーヘッドの効果はこれだけではない。前記のシャワーヘッドを改良し、人体の健康に関連する技術を用いて、濾過効果を備えるシャワーヘッドも開発されている。その主な構造は、シャワーヘッドの水やお湯がでる端部に水を浄化するための濾過装置を設けることで、シャワーヘッドから流れ出る水やお湯をきれいにする。
【０００４】
しかしながら、上述のシャワーヘッドは、使用する際、以下のような問題と欠点がある。それは、このシャワーヘッドは、お湯を単純に濾過することしかできず、人体のその他の健康に関してはあまり役に立たないという点である。
【考案の概要】
【考案が解決しようとする課題】
【０００５】
そこで、本考案は、マイナスイオン効果をもつ水やお湯を噴出させることが可能なシャワーヘッドを提供することを目的とする。
【課題を解決するための手段】
【０００６】
上述の目的を達成するために、本考案によるシャワーヘッドは、噴水ヘッドと、握り部とによって構成する。前記噴水ヘッドの一端は、前記握り部と相互に螺合される。また、前記握り部内には収容スペースが設けられ、前記収容スペース内にはフィルタエレメントが収容され、前記フィルタエレメント内には複数のマイナスイオンセラミックボールが収容される。
【考案の効果】
【０００７】
本考案は、水やお湯がフィルタエレメントを通過した後、上述のマイナスイオンセラミックボールによって水やお湯の水分子が活性化してマイナスイオンを生じるため、噴水ヘッドから出た水やお湯はマイナスイオン効果を備えることができる。上述の技術により、お湯を単純に濾過することしかできず人体のその他の健康に関してはあまり役に立たないという従来の問題点を解決することができる。本考案は、その構造とマイナスイオンセラミックボールにより、人体に良い効果を与える実用進歩性を備えている。
【図面の簡単な説明】
【０００８】
【図１】本考案による好ましい実施例を示した斜視図である。
【図２】本考案による好ましい実施例を示した断面図である。
【図３】本考案の水流がフィルタエレメントを通過する動作を示した説明図である。
【図４】本考案の水流が噴水ヘッドで渦巻きと気泡を生じさせる動作を示した説明図である。
【考案を実施するための形態】
【０００９】
図１は、本考案による好ましい実施例を示した斜視図であり、図２は、本考案による好ましい実施例を示した断面図である。図から分かるように、本考案によるシャワーヘッド１０は、水を噴出させるための噴水ヘッド１１と、前記噴水ヘッド１１と螺合される握り部１３とによって構成する。
【００１０】
噴水ヘッド１１の所定の位置には、握り部１３と螺合される螺合部１１１が形成され、螺合部１１１には、水流に気泡を生じさせるための導管１２が設けられる。なお、噴水ヘッド１１と握り部１３を螺合する方法は、ねじ山による固定である。
【００１１】
握り部１３内には収容スペース１３１が設けられ、収容スペース１３１には、一体成型方式のフィルタエレメント１４が収容される。フィルタエレメント１４内には、複数のマイナスイオンセラミックボール１５が収容され、さらに、握り部１３における噴水ヘッド１１が設けられた箇所の反対側の端部には、ホースを連結するための連結部１３２が設けられる。以上の構造により、水やお湯がフィルタエレメント１４を通過する際、マイナスイオンセラミックボール１５によって水やお湯の水分子が活性化してマイナスイオンが生じ、その後、噴水ヘッド１１から水やお湯が噴出されるため、マイナスイオン効果を達成することができる。
【００１２】
上述の構造・設計による本考案を使用した時の動作を、以下に説明する。図１から図４を同時に参照する。図１は、本考案による好ましい実施例を示した斜視図であり、図２は、本考案による好ましい実施例を示した断面図であり、図３は、本考案の水流がフィルタエレメントを通過する動作を示した説明図であり、図４は、本考案の水流が噴水ヘッドで渦巻きと気泡を生じさせる動作を示した説明図である。図から分かるように、握り部１３の一端の連結部１３２をホース２０に連結して固定した後、複数のマイナスイオンセラミックボール１５をフィルタエレメント１４内にセットし、さらに導管１２を螺合部１１１に取り付け、その後、螺合部１１１を握り部１３に、ねじ山によって固定する。以上で、本考案の組み立てが完成する。本考案を組み立てた後、水やお湯を出すと、水流３０がホース２０を通って握り部１３内のフィルタエレメント１４に達する。この時、水流３０はマイナスイオンセラミックボール１５にぶつかり、マイナスイオンセラミックボール１５によって水流３０の水分子が活性化され、マイナスイオン効果が生じる。そして、さらに導管１２（導管１２の口径は、フィルタエレメント１４の口径より小さい）を通過すると、噴水ヘッド１１内に渦巻きが生じ、さらに気泡が生じて、噴水ヘッド１１の穿孔から噴出される。
【００１３】
全ての図を参照する。本考案を使用すると、従来技術と比較して、以下の利点がある。
【００１４】
１、フィルタエレメント１４内に収容されたマイナスイオンセラミックボール１５によって、マイナスイオン効果をもつ水やお湯を噴出させることができる。
【００１５】
２、導管１２によって、噴水ヘッド１１内で水流３０に渦巻きを生じさせ、更には気泡を生じさせることができる。
【符号の説明】
【００１６】
１０    シャワーヘッド
１１    噴水ヘッド
１１１  螺合部
１２    導管
１３    握り部
１３１  収容スペース
１３２  連結部
１４    フィルタエレメント
１５    マイナスイオンセラミックボール
２０    ホース
３０    水流
【図１】
0003165747.tif 000003
【図２】
0003165747.tif 000004
【図３】
0003165747.tif 000005
【図４】
0003165747.tif 000006